(57)【特許請求の範囲】
【請求項１】
排気管を有する一次燃焼室と多細孔で連絡し、内部に耐熱性材料の細粒体が充填された乾燥室内に、上下方向に多段に横方向に延長する内部にスクリューコンベアが内蔵された筒体が設けられると共に、各筒体は端部が上又は下の筒体の端部と交互に連通されて一本に形成され、前記スクリューコンベアは往路と復路が上下に交互になるよう配設され、最上部の筒体に乾燥室外に通じるゴミ投入口が設けられると共に、最下部の筒体に乾燥室外に通じるゴミ排出口が設けられ、前記一次燃焼室と筒体間に筒体内で発生した蒸気を一次燃焼室に送る送給手段が設けられていることを特徴とする生ゴミ乾燥機。
【請求項２】
一次燃焼室の排気管の途中に、内部に耐熱性材料の細粒体が充填されたシャワー室を介在して二次燃焼室が設けられていることを特徴とする請求項１記載の生ゴミ乾燥機。
【発明の詳細な説明】
【０００１】
【発明の属する技術分野】
本発明は、生ゴミ分別機で分別されると共に、破砕された生ゴミを乾燥するための生ゴミ乾燥機に関するものである。
【０００２】
【従来の技術】
従来の生ゴミの乾燥機は、乾燥室内に生ゴミを収容し、撹拌して乾燥させるか或いは乾燥室内を通過させて生ゴミを乾燥させていた。
【０００３】
【発明が解決しようとする課題】
生ゴミは多量の水分を含有するため、生ゴミを固形化燃料等として利用する場合は、十分に乾燥させなければならないのである。
しかし、長時間乾燥させるためには大きな乾燥室を必要とし、設置スペースに問題点を有すると共に、燃料の消費量も多くなるのである。
【０００４】
又、燃焼ガス中に含まれる有害物質が大気中に放出されることによる公害の発生という環境問題に関しても課題を有しているのである。
【０００５】
上記点より本発明は、小さい設置スペースで長時間十分に生ゴミを乾燥させることができると共に、燃料の消費量も少なく、かつ燃焼ガス中に含まれる有害物質も除去して大気中に放出され、公害の発生も防止し得る生ゴミ乾燥機を提供しようとするものである。
【０００６】
【課題を解決するための手段】
上記課題を解決するため本発明生ゴミ乾燥機は、排気管を有する一次燃焼室と多細孔で連絡し、内部に耐熱性材料の細粒体が充填された乾燥室内に、上下方向に多段に横方向に延長する内部にスクリューコンベアが内蔵された筒体が設けられると共に、各筒体は端部が上又は下の筒体の端部と交互に連通されて一本に形成され、前記スクリューコンベアは往路と復路が上下に交互になるよう配設され、最上部の筒体に乾燥室外に通じるゴミ投入口が設けられると共に、最下部の筒体に乾燥室外に通じるゴミ排出口が設けられ、前記一次燃焼室と筒体間に筒体内で発生した蒸気を一次燃焼室に送る送給手段が設けられていることを特徴とするものである。
【０００７】
又、本発明生ゴミ乾燥機は一次燃焼室の排気管の途中に、内部に耐熱性材料の細粒体が充填されたシャワー室を介在して二次燃焼室が設けられていることを特徴とするものである。
【０００８】
上記構成を有する本発明は、一次燃焼室の熱気は多細孔より乾燥室内に入り、乾燥室内に充填されている細粒体を加熱する。
この細粒体の加熱により、乾燥室内に設けられた筒体が間接的に熱せられ、筒体内の生ゴミを乾燥するのである。
【０００９】
筒体内の生ゴミは生ゴミ投入口より押し込まれ、スクリューコンベアにより圧搾されながら搬送されるので、生ゴミ中に含まれる水分は筒体内で分離される。そして、分離された水分は筒体が受ける熱気で蒸気と化し、筒体から送給手段により一次燃焼室に送り込まれ、一次燃焼室で気化される。
【００１０】
又、筒体は上下方向に多段に設けられ、端部が交互に上下に連通されて一本に形成されているため、生ゴミは長距離搬送され、乾燥時間も長くなり、小さな乾燥室であっても十分な乾燥を受ける。
又、筒体は直接火炎が当たらず、間接熱によること及び筒体の周囲を細粒体で充填してあることにより、筒体の熱による変形が防止されると共に、細粒体により保温性を有し、燃料の節約になる。
【００１１】
次に、一次燃焼室の燃焼ガスは排気管の途中のシャワー室を通過する時、シャワー室内に充填されている細粒体に燃焼ガス中に含まれる煤等が付着され、煤等が現れる。
又、燃焼ガスはシャワー室で水により脱臭作用を受けて悪臭を除去され、二次燃焼室で更に燃焼を受け、完全燃焼され大気中に放出されるので、燃焼ガス中の有害物質は悉く除去される。
【００１２】
【発明の実施の形態】
以下、本発明の一実施の形態を図面に基づき説明する。
図１は本発明生ゴミ乾燥機の正面図、図２は同上の側面図、図３は同上の背面図、図４は同上の平面図、図５は乾燥室の縦断正面図、図６は一次燃焼室と乾燥室の縦断側面図である。
【００１３】
而して、図中１は一次燃焼室であり、この一次燃焼室１の背面に乾燥室２が設けられ、一次燃焼室１と乾燥室２は多細孔３Ａを有する隔壁３で仕切られ、一次燃焼室１の熱気が多細孔３Ａより乾燥室２内へ流通できるように形成されている。
【００１４】
一次燃焼室１の側面の上方に排気管４が設けられると共に、一次燃焼室１の側面の下方に一次燃焼用バーナー５が設けられている。
乾燥室２は、薄い方形体で内部に多段（図面では８段）に横方向に延長した筒体６が水平に設けられ、筒体６は端部が上又は下の筒体６の端部に交互に連結部６Ａにより連通されて一本に形成されている。
【００１５】
そして、最上部の筒体６に乾燥室２外に通じる生ゴミ投入口７が設けられ、又最下部の筒体６に乾燥室２外に通じる生ゴミ排出口８が設けられている。
生ゴミ投入口７の上方に生ゴミ投入管口９より投入された生ゴミを筒体６に押し込むための押圧シリンダー１０が設けられている。
又、生ゴミ排出口８の下方に搬送用のベルトコンベヤ１１が設けられている。
【００１６】
又、各段の筒体６内に夫々スクリューコンベア１２が内蔵されている。各段のスクリューコンベア１２は往路と復路が上下に交互になるよう配設されている。各スクリューコンベア１２はモーター１３の回転がチェーン１４とスプロケット１５による連動機構により伝達され、同一回転する。
【００１７】
又、乾燥室２内の筒体６の周囲に耐熱性材料のガラス又はセラミックス等の細粒体１６が充填されている。細粒体１６は隔壁３の多細孔３Ａより逃出しない大きさである。
【００１８】
又、筒体６の連結部６Ａに筒体６内で発生した蒸気が送出される蒸気送出口１７が設けられ、この蒸気送出口１７に蒸気送出管１８の一端が連結され、各蒸気送出管１８の他端は一本にもとめられ、一次燃焼室１の上部に設けた蒸気導入管１９に連結されている。
この蒸気導入管１９はブロアー２０の送風管２１と連絡し、蒸気は送風で強制的に一次燃焼室１内に送り込まれる。
【００１９】
次に、図中２２はシャワー室であり、シャワー室２２は排気管４の途中に設置されている。
シャワー室２２の下部は多細孔２３Ａを有する底板２３を介して水槽２４と連結し、この水槽２４内に水中ポンプ２５が設けられ、該水中ポンプ２５により水中ポンプ２５からシャワー室２２の上方に配設した流水管２６を通り、水がシャワー室２２の上方へ送り込まれ、シャワー室２２の底板２３の多細孔２３Ａより再び水槽２４内に落下し、循環する。
【００２０】
又、シャワー室２２内には耐熱性材料のガラス又はセラミックス等の細粒体２７が充填されている。
よって、排気管４からシャワー室２２内を通過する一次燃焼室１からの燃焼ガスはシャワー室２２内で細粒体２７に燃焼ガス中に含まれる煤等が付着して除去されると共に、水により燃焼ガス中に含まれる悪臭も除去される。
【００２１】
そして、シャワー室２２を通過した燃焼ガスは排気管４Ａより二次燃焼室２８内に入り、二次燃焼室２８内で再度燃焼され、燃焼ガス中に含まれる有害物質は悉く除去され、排気管４Ｂから大気中に放出される。
尚、図中２９は二次燃焼室２８の下部に設けた二次燃焼用バーナーである。
【００２２】
【発明の効果】
本発明によれば、生ゴミが搬送される筒体が多段に設けられて端部が交互に上又は下の筒体の端部に連通されて一本に形成されているため、生ゴミは長距離搬送され、乾燥時間も長くなり、小さな乾燥室であっても十分な乾燥を受けることができ、設置スペースも小さくて済む。
又、筒体は間接熱で熱せられることと、筒体の周囲が細粒体で充填されていることにより、熱による変形が防止され、耐久性が増大する。
更に、細粒体により保温性を有し、燃料の節約となる経済的効果も有する。
【００２３】
又、一次燃焼室の燃焼ガスはシャワー室で煤と悪臭が除去され、二次燃焼室で更に燃焼され大気中に放出されるので、燃焼ガス中の有害物質は悉く除去され、公害の発生も防止される。
【図面の簡単な説明】
【図１】本発明生ゴミ乾燥機の一実施の形態を示す正面図である。
【図２】本発明生ゴミ乾燥機の一実施の形態を示す側面図である
【図３】本発明生ゴミ乾燥機の一実施の形態を示す背面図である。
【図４】本発明生ゴミ乾燥機の一実施の形態を示す平面図である。
【図５】本発明生ゴミ乾燥機の一実施の形態を示す部分縦断側面図である。
【図６】本発明生ゴミ乾燥機の一実施の形態を示す部分縦断正面図である。
【符号の説明】
１    一次燃焼室
２    乾燥室
３    隔壁
３Ａ  多細孔
４    排気管
６    筒体
６Ａ  筒体の連結部
７    生ゴミ投入口
８    生ゴミ排出口
１２  スクリューコンベア
１６  細粒体
１７  蒸気送出口
１８  蒸気送出管
１９  蒸気導入管
２２  シャワー室
２７  細粒体
２８  二次燃焼室
【図１】
0003595201.tif 000002
【図２】
0003595201.tif 000003
【図３】
0003595201.tif 000004
【図４】
0003595201.tif 000005
【図５】
0003595201.tif 000006
【図６】
0003595201.tif 000007